(57)【要約】【課題】安価であると共に、育成材部の吸水を効果的に横へ広がらせることができ、良好な植物の生育を可能とする緑化設備を提供する。【解決手段】貯水又は保水可能な基盤材上に、植栽部が設けられる緑化設備であって、前記植栽部が、マット状の育成材部と、少なくとも前記育成材部の上側に設けられる植物とから構成され、前記育成材部が、下面に下方に突出する突出部を有し、且つ前記突出部に対応する上面に凹状部を有する緑化設備。【選択図】図１
2012065647.tif 000002
【特許請求の範囲】
【請求項１】
貯水又は保水可能な基盤材上に、植栽部が設けられる緑化設備であって、
前記植栽部が、育成材部と、少なくとも前記育成材部の上側に設けられる植物とから構成され、
前記育成材部の下面に下方に突出する突出部を有し、且つ前記育成材部の上面に前記突出部に対応する凹状部を有することを特徴とする緑化設備。
【請求項２】
前記育成材部が積層して設けられ、
下側に位置する前記育成材部の前記凹状部に、その上側に位置する前記育成材部の前記突出部が収納されることを特徴とする請求項１記載の緑化設備。
【請求項３】
前記育成材部は平面視略方形に形成され、
平面視で対向する二辺間の上面に凹溝が形成されることを特徴とする請求項１又は２記載の緑化設備。
【請求項４】
前記育成材部は、相互に隙間が形成されるように前記基盤上に複数配置され、
前記隙間の下方に遮水性部材が配置されることを特徴とする請求項１又は２記載の緑化設備。
【請求項５】
前記育成材部が積層して設けられ、
第一の育成材部の上に、前記第一の育成材部よりも平面視で小型の第二の育成材部が複数載置され、
前記第二の育成材部は、相互に隙間が形成されるように配置されることを特徴とする請求項１又は２記載の緑化設備。
【請求項６】
前記基盤材は、少なくとも底面と側面を有する上面開口の箱型に形成され、
前記底面にリブを有し、
前記リブの上面に排水孔が穿設され、
前記リブ相互間に貯水又は保水可能な空間が形成されることを特徴とする請求項１〜５の何れかに記載の緑化設備。
【請求項７】
前記基盤材が、折板屋根上に設置されることを特徴とする請求項１〜６の何れかに記載の緑化設備。
【発明の詳細な説明】
【技術分野】
【０００１】
本発明は、貯水又は保水可能な基盤材上に、植栽部が設けられる緑化設備に関する。
【背景技術】
【０００２】
近年、都市の緑化対策の重要性が認識されつつあり、ビルの屋上、ベランダ或いは平坦でない折板屋根等においても緑化が図られている。かかる緑化に貢献するものとして、特許文献１に、最下部に凹凸状の保水部を有する保水シートを敷設し、保水シート上に概略径が５ｍｍ以下の廃棄ポリウレタン自然発泡品の粉砕物と籾殻及び米糠の混合物をイソアネート系接合剤によって比重０．１ないし０．１５となるように圧縮成形した人工土壌マットを載置し、その上面に草類を植生した人工土壌による緑化設備が開示されている。前記人工土壌マットは平板状に形成されている。
【０００３】
また、特許文献２には、スラグに発泡剤を添加した発泡性スラグを焼成して成形した多孔質セラミックスの植栽ボードと、この植栽ボードを支持する中間支持ボードと、中間支持ボードを支持しかつ水を貯留する水受け皿とを備え、植栽ボードの下面に設けた多孔質セラミックス製の脚部を中間支持ボードに設けた穴に嵌合挿通させて水受け皿内に水没させ、脚部を介して植栽ボード上の植物に給水するようにした植栽ブロックが開示されている。前記植栽ボードの上面は平らに形成されている。
【先行技術文献】
【特許文献】
【０００４】
【特許文献１】特開２００２−２３８３４９号公報
【特許文献２】特開２００２−２４７９１５号公報
【発明の概要】
【発明が解決しようとする課題】
【０００５】
しかしながら、特許文献１は、保水部の水分を吸水することができず、保水部の湿気に頼って、草類に水を与えているため、近年のように猛暑が続くと水の供給が間に合わずに、草類が枯れてしまうという不具合が生ずる。
【０００６】
また、特許文献２は、水受け皿に脚部を水没させて植物に給水しているため、上記のような問題は発生しないが、上面が平らなであるため、材料費が膨大となり、高コストな植栽ブロックとなってしまう。また、脚部から給水された水分が横への拡がりが乏しく、結果的に水分不足による枯れが所々に現れる虞があった。
【０００７】
本発明は上記のような不具合を解消するためになされたものであり、その目的は、安価な緑化設備を提供することにある。また、本発明の別の目的は、育成材部の吸水を効果的に横へ広がらせることができ、良好な植物の生育を可能とする緑化設備を提供することにある。
【課題を解決するための手段】
【０００８】
本発明の緑化設備は、貯水又は保水可能な基盤材上に、植栽部が設けられる緑化設備であって、前記植栽部が、育成材部と、少なくとも前記育成材部の上側に設けられる植物とから構成され、前記育成材部の下面に下方に突出する突出部を有し、且つ前記育成材部の上面に前記突出部に対応する凹状部を有することを特徴とする。前記育成材部は一体成形で形成されるものとすると好適である。
この構成によれば、育成材部の上面の凹状部により、材料費を低減し、緑化設備を安価にすることができる。また、下方に突出する突出部の対応する上面に凹状部を設けることにより、突出部から吸い上げた水分を上方ではなく横方向に効果的に広げることができ、育成材部全体に水分が行き渡り、良好な植物の生育が可能となる。
【０００９】
本発明の緑化設備は、前記育成材部が積層して設けられ、下側に位置する前記育成材部の前記凹状部に、その上側に位置する前記育成材部の前記突出部が収納されることを特徴とする。
この構成によれば、重ね合わせた際に突出部が凹状部に収納されることから、積層時の嵩を低くして設置することができると共に、育成材部を全体として安定設置することができる。また、重ね合わせ時の嵩が低くなることから、運送費を節約することができる。また、突出部を凹状部に収納して施工できることから、施工性が向上し、結果的に緑化設備の一層の低コスト化を図ることができる。
【００１０】
本発明の緑化設備は、前記育成材部が平面視略方形に形成され、平面視で対向する二辺間の上面に凹溝が形成されることを特徴とする。
この構成によれば、凹溝に潅水パイプ等を安定且つ容易に設置することができる。
【００１１】
本発明の緑化設備は、前記育成材部が、相互に隙間が形成されるように前記基盤上に複数配置され、前記隙間の下方に遮水性部材が配置されることを特徴とする。
この構成によれば、遮水性部材上に潅水パイプ等を設置することが可能となり、凹溝の形成で育成材部の強度が低下することを回避することができる。また、高強度になることで、取り扱いも一層容易となる。
【００１２】
本発明の緑化設備は、前記育成材部が積層して設けられ、第一の育成材部の上に、前記第一の育成材部よりも平面視で小型の第二の育成材部が複数載置され、前記第二の育成材部は、相互に隙間が形成されるように配置されることを特徴とする。
この構成によれば、緑化設備の構成の自由度を高めることができる。
【００１３】
本発明の緑化設備は、前記基盤材は、少なくとも底面と側面を有する上面開口の箱型に形成され、前記底面にリブを有し、前記リブの上面に排水孔が穿設され、前記リブ相互間に貯水又は保水可能な空間が形成されることを特徴とする。
この構成によれば、基盤材の強度を高めることができると共に、基盤材で十分な水分を確保し、良好な給排水を行うことができる。
【００１４】
本発明の緑化設備は、前記基盤材が、折板屋根上に設置されることを特徴とする。
この構成によれば、折板屋根を安価に緑化できると共に、折板屋根の緑化で良好な植物の育成を行うことができる。
【発明の効果】
【００１５】
本発明の緑化設備は、育成材部の上面の凹状部により、材料費を低減し、緑化設備を安価にすることができる。また、下方に突出する突出部の対応する上面に凹状部を設けることにより、突出部から吸い上げた水分を上方ではなく横方向に効果的に広げることができ、育成材部全体に水分が行き渡り、良好な植物の生育が可能となる。
【図面の簡単な説明】
【００１６】
【図１】（ａ）は実施例１の緑化設備を示す平面説明図、（ｂ）は図１（ａ）のＡ−Ａ断面図。
【図２】（ａ）は実施例１の基盤材を示す平面図、（ｂ）は実施例１の基盤材を示す正面図、（ｃ）は図２（ａ）のＡ−Ａ断面図、（ｄ）は実施例１の基盤材を示す側面図。
【図３】（ａ）は実施例１の育成材部を示す平面図、（ｂ）は実施例１の育成材部を示す正面図、（ｃ）は図３（ａ）のＡ−Ａ断面図、（ｄ）は実施例１の育成材部を示す側面図。
【図４】実施例１の緑化設備における吸水の動きを示す説明図。
【図５】（ａ）は実施例２の緑化設備を示す平面図、（ｂ）は実施例２の緑化設備を示す正面図。
【図６】（ａ）は実施例２の基盤材を示す平面図、（ｂ）は実施例２の基盤材を示す正面図、（ｃ）は図６（ａ）のＡ−Ａ断面図、（ｄ）は図６（ａ）のＢ−Ｂ断面図、（ｅ）は実施例２の基盤材を示す側面図、（ｆ）は図６（ａ）のＣ−Ｃ断面図、（ｇ）は図６（ａ）のＤ−Ｄ断面図。
【図７】（ａ）は実施例２の育成材部を示す平面図、（ｂ）は実施例２の育成材部を示す正面図、（ｃ）は図７（ａ）のＡ−Ａ断面図、（ｄ）は図７（ａ）のＢ−Ｂ断面図、（ｅ）は実施例２の育成材部を示す側面図、（ｆ）は図７（ａ）のＣ−Ｃ断面図、（ｇ）は図７（ａ）のＤ−Ｄ断面図。
【図８】（ａ）は実施例２の緑化設備の施工途中を示す平面説明図、（ｂ）は実施例２の緑化設備の施工途中を示す正面説明図。
【図９】（ａ）は実施例３の遮水部材を配置する前の基盤材と育成材部を示す平面説明図、（ｂ）は実施例３の育成材部を配置する前の基盤材と育成材部を示す平面説明図、（ｃ）は実施例３の育成材部を配置した後の基盤材と育成材部を示す平面説明図。
【図１０】（ａ）は他の応用例の緑化設備を示す平面図、（ｂ）は図１０（ａ）のＡ−Ａ断面図。
【発明を実施するための形態】
【００１７】
以下、本発明の緑化設備に関する具体的な実施例について説明するが、本発明は以下の実施例に限定されるものではなく、各実施例の各構成要件を組み合わせ或いは組み替える構成や、各実施例の各構成要件を削除するなど本発明の要旨の範囲内の全ての構成が含まれる。
【００１８】
〔実施例１〕
本発明の実施例１の緑化設備１００は、図１に示すように敷設面に、貯水又は保水可能な複数の基盤材１０を並設敷設し、基盤材１０上に植栽部１０１が設けられる。植栽部１０１が、育成材部２０と、育成材部２０の上側に設けられる植物Ｐとから構成され、例えば屋上、ベランダ、折板屋根等に設置される基盤材１０上にマット状の育成材部２０を載置し、育成材部２０上にマット状の植物Ｐを載置することにより、緑化エリアが形成されている。
【００１９】
図２に示すように、本実施例の基盤材１０は、底面１０ａと側面１０ｂを有する上面開口の箱型からなり、底面１０ａから上方に平面視略円形で、中空の柱状部材１１が立設してなり、この柱状部材１１の頂面１１ａ及び側面１１ｂの上端で育成材部２０を支持している。また、基盤材１０は水密性であり、内部に水分を貯留可能な構成となっており、合成樹脂製、発泡体、鋼板、木製、陶器製、石製など適宜の材料で成形されている。
【００２０】
また、図３に示すように、本実施例の育成材部２０は、上面２０ａと下面２０ｂを有し、外周において側面２０ｃを形成する略平板形状に形成されており、上面２０ａにおいては凹状部２１が４つ形成され、平面視で対応する略同一位置に下面２０ｂにおいて突出部２２が下方に突出して形成されている。育成材部２０相互を重ね合わせた際には、上側の育成材部２０の突出部２２が下側の育成材部２０の凹状部２１に入り込んで収納され、積み重ねの際の嵩を低くすることができると共に、位置決め効果を発揮し、安定した積み重ねが可能となるように構成されており、積層設置時や運搬時の安定性が高められている。
【００２１】
尚、育成材部２０は、例えばパーライト、バーミキュウライト、ピートモス、バーク堆肥、チャフコン、木質腐朽有機物、ゼオライト、下水或いは浄水場から発生する汚泥、或いは汚泥の焼却灰などを単体で、或いは複数種類を混合して、更には根腐れ防止用の硅酸塩白土等を植物の種類、環境等に応じて適宜選定し、これらを保水性、排水性を良好にするためにバランス良く配合したものをバインダーで固化したブロック状のもの、或いはウレタン、ロックウール、スポンジ、ポリエステルやヤシガラ等の繊維材等、或いはこれらの軽量育成材、或いは、吸水ポリマーなどを適宜配合してなる軽量材など適宜である。好適には育成材部２０は一体成形で形成したものとするとよい。そして、厚手の敷物のような形状とすることにより、マット状の育成材部２０が形成される。
【００２２】
育成材部２０の上面２０ａに、植栽マット３０を載置する等で植物Ｐを設けることにより緑化設備１００が形成されるが、少なくとも現在或いは将来時点において、育成材部２０の上側に植物Ｐが設けられるものであれば適宜であり、例えば、切芝やタマリュウ、セダム、地被類、コケ、キリンソウ等をマット状にしたもの、或いは育成材の上面に凹部内に苗を植え付ける構成、或いは育成材上に植物の種子をまく、或いは育成材内に種子を混合させておく構成等とすることが可能である。
【００２３】
上記の如く形成された緑化設備１００は、図４に示すように、基盤材１０に貯留された水分を育成材部２０の毛細管現象により吸水し、植栽マット３０に水分を導く構成となっているが、育成材部２０の上面２０ａに凹状部２１が形成されていることから、突出部２２から吸水された水分が凹状部２１の存在により横方向へ移動するようになり、育成材部２０全体に広がる構成となっている。尚、必要に応じて、凹状部２１内に土壌等の育成材部２０と異なる育成材を収納して植栽マット３０を載置したとしてもよく、この場合であっても、水分は同一素材への移動が優先され、結果的に横方向への広がりが優先され、育成材部２０全体へ水分が広がる。なお、図４中のＷは、水面を示す。
【００２４】
以上、本発明の実施例１の緑化設備１００を使用することにより、安価で施工性の良い緑化設備を提供することが可能となる。また、基盤材１０に貯留されている水分を育成材部２０全体に行き渡らせることが可能であるため、良好な植物の生育が可能となる。
【００２５】
〔実施例２〕
実施例２の緑化設備１００ａは、例えば図５に示す折板屋根Ｒ上に設けられる。折板屋根Ｒは山部１と谷部２が交互に設けられ、山部１頂面にカシメ結合されたハゼ部３を有する。その折板屋根Ｒ上に、隣り合う山部１のピッチと略同一幅からなる基盤材５０を配置し、基盤材５０の底面５０ａ上に植物Ｐを栽培可能な育成材部６０を載置すると共に、育成材部６０に植物Ｐを植栽を施すことにより、緑化が可能な緑化設備１００ａが構成される。育成材部６０と植物Ｐとは植栽部１０１を構成する。
【００２６】
図６に示すように、本実施例の基盤材５０は、底面５０ａと側面５０ｂを有する上面開放の箱型であり、底面５０ａに、折板屋根Ｒの流れ方向に直交する方向に上方に突出した４本のリブ５１が形成される。また、リブ５１の頂面５１ａには１つのリブ５１に対して４つの排水孔５２が穿設されており、リブ５１以外の底面５０ａに貯水可能な構成となっており、且つリブ５１の頂面５１ａを超えた余剰水は排水孔５２から排出される構成となっている。また、リブ５１は、底面５０ａから上方に屈曲延設してなる傾斜面５１ｂと、傾斜面５１ｂの上端を底面５０ａと略平行になるような略平坦な頂面５１ａと、頂面５１ａの端部を下方に屈曲延設してなる傾斜面５１ｂとを有する構成となっており、リブ５１は折板屋根Ｒの流れ方向に平行な側面５０ｂにまで及んでいる。また、リブ５１相互間は貯水又は保水可能な空間（以下、貯水箇所Ｔと記す）になっている。
【００２７】
また、基盤材５０の側面５０ｂは、上方に向かって開口が大きくなるようなテーパ面で形成され、側面５０ｂの上端において、隣り合う二辺には、外方に長く突出する長突出片５３が形成されていると共に、他の隣り合う二辺には、外方に短く突出する短突出片５４が形成されて、全周を突出片で囲まれて形成されている。
【００２８】
また、基盤材５０の折板屋根Ｒの流れ方向に直交する側面５０ｂの上端で、且つ中央よりも折板屋根Ｒの山部１側に位置する箇所には、後述する潅水パイプ７０を配設可能な凹部５５が形成されており、折板屋根Ｒの流れ方向に沿って潅水パイプ７０を配設可能に構成されている。また、凹部５５を辺中央部に設けない構成とすることにより、基盤材５０の上方からの圧力に対して基盤材５０自体の強度アップを可能としている。なお、凹部５５の最下端は、補強機能を有するリブ５１の上端より僅かに高い位置に設けると好適であり、潅水パイプ７０をリブ５１で支持することが可能となる。
【００２９】
基盤材５０は、好適にはガルバニウム鋼板製を絞り加工を施す構成とすると、強度、コスト、加工性、防錆性に優れてよいが、どのような材料、成形方法を用いることも可能である。
【００３０】
また、図７に示すように、本実施例の育成材部６０は、上面６０ａと下面６０ｂを有し、外周において基盤材５０の側面５０ｂのテーパ面に沿うようなテーパ面が形成された側面６０ｃで形成されている。また、育成材部６０には、実施例１と同様に、下面６０ｂから下方に円形状の突出部６１が形成され、突出部６１に対応する上面６０ａには突出部６１に対応する形状の凹状部６２が形成されている。また、基盤材５０の凹部５５に対応する箇所には育成材部６０の上部に凹溝６３が形成され、後述する潅水パイプ７０を敷設可能な構成となっている。即ち、平面視略方形の育成材部６０において、平面視で対向する二辺間の上面６０ａに凹溝６３が形成されている。
【００３１】
さらに、本実施例の突出部６１は、基盤材５０の貯水箇所Ｔにそれぞれ２つずつ形成され、貯水箇所Ｔの中心に設けられ、リブ５１相互間の距離と、突出部６１の下端の直径が略同一に構成することにより、確実に貯水箇所Ｔの水分を吸水することが可能である。尚、凹溝６３は基盤材５０の凹部５５よりも浅く形成すると好適であり、硬い基盤材５０の凹部５５により潅水パイプ７０が切断されるなどの不具合を未然に防止することが可能となる。
【００３２】
以上からなる基盤材５０及び育成材部６０などを折板屋根Ｒに載置する場合、図８に示すように、先ず、折板屋根Ｒの山部１頂面に両面テープ或いは接着剤、粘着剤等の固定手段５を貼着し、その上に、育成材部６０を収納した基盤材５０をリブ５１が折板屋根Ｒの流れ方向に直交するように、且つ山部１頂面のハゼ部分３に挟まれるような位置に載置することにより、折板屋根Ｒと基盤材５０の底面５０ａとを固定状態とする。また、図８の破線から明らかなように、この固定状態において、基盤材５０のリブ５１の長さ方向両端縁部が、折板屋根Ｒの山部１上に位置することから、基盤材５０上方からの圧力に対して、リブ５１を介して折板屋根Ｒの山部１で支持することができ、圧力に対する強度が向上する構成となっている。また、図６から明らかなように平面視において、基盤材５０の底面５０ａの面積がリブ５１の部分より大きいため、接着強度が確保できると共に、貯水量も十分に確保することが可能となる。
【００３３】
また、一の基盤材５０は、隣り合う他の基盤材５０の短突出片５４上に長突出片５３が位置するように隣接して敷設することにより、基盤材５０から折板屋根Ｒ（ハゼ部分３を含む）が目視不能な状態になっている。この際、長突出片５３が隣り合う他の育成材部６０上まで延びていることから、育成材部６０の隣り合う二辺が長突出片５３により押えられ、育成材部６０自体が風などにより飛散することを防止している。
【００３４】
その後、図５に示すように折板屋根Ｒの勾配に沿って一直線上になっている基盤材５０の凹部５５及び育成材部６０の凹溝６３内に潅水パイプ７０を敷設し、その上から切り芝などのマット状の植物Ｐを載置するなど、実施例１と同様に適宜の植物Ｐを設けることにより、施工が完了する。尚、潅水パイプ７０は、多孔質パイプ、ドリップチューブ、しみ出しパイプ等適宜である。
【００３５】
以上、本発明の実施例２の緑化設備１００ａを使用することにより、対応する構成により上記実施例１と同様の効果を発揮することが出来ると共に、折板屋根Ｒであっても容易に緑化エリアを形成することが可能となり、且つ突出部６１においても貯水箇所の水分を無駄なく吸水することが可能となり、水道費の節約効果を発揮できる。
【００３６】
〔実施例３〕
次に本発明の実施例３の緑化設備１００ｂについて上記実施例１及び実施例２と異なる箇所の詳細を説明する。
【００３７】
図９に示すように、本実施例の基盤材８０は、底面８０ａと側面８０ｂを有する上面開放の箱型で、対向する二側面８０ｂに潅水パイプ７０を配設可能な凹部８０ｃが形成されている。また、実施例２同様に、凹部８０ｃが形成されていない対向する二側面８０ｂに平行に複数の第１リブ８１が形成され、第１リブ８１に平行な側面８０ｂから第１リブ８１に直交する方向で、且つ第１リブ８１の一番外側の第１リブ８１まで延設した第２リブ８２が形成されて、この第２リブ８２により潅水パイプ７０を下から支持する。
【００３８】
基盤材８０に、先ず対向する第２リブ８２・８２を架け渡すように遮水性部材８３を載置し、その上に複数である２分割体からなる育成材部９０を遮水性部材８３上に隙間をあけて配置し、遮水性部材８３上であって２つの育成材部９０で囲まれた空間が、実施例２の凹溝６３としての役割を果たす。
【００３９】
また、育成材部９０は、図９に示すように、上面９０ａに楕円形状の凹状部９１が形成され、凹状部９１に対応する下面９０ｂには、楕円形状の突出部９２が形成され、貯水されている水分を吸水可能な構成となっていると共に、吸収した水分を育成材部９０全体に広がり易い構成となっている。また、楕円形の突出部９２は、基盤材８０の第１リブ８１相互間或いは第２リブ８２と側面８０ｂとの間の貯水空間における低勾配側（図面上下側）に位置するように形成されており、より多くの水分を吸収することが可能となっていると共に、楕円形であることから、育成材部９０に対する上方からの圧力を支持可能な構成となっている。尚、その後、実施例１、２同様に育成材部９０上に植栽マット３０を載置できることは言うまでもない。
【００４０】
以上、本発明の実施例３を使用することにより、実施例１及び２の効果を発揮すると共に、育成材部の強度を弱める凹溝を設ける必要がないため、取扱いが容易となる。
【００４１】
〔実施例の変形例等〕
本明細書開示の発明には、解決手段に記載の各発明や実施例等の構成のほかに、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、例えば下記の変形例も包含される。
【００４２】
例えば第１の育成材部として、実施例３の突出部９１及び凹状部９２を有する育成材部９０を基盤材８０上に載置し、その上に実施例３と同様に、２分割体の第２の育成材部９０を凹溝を形成可能なように間隔をあけて配置する構成とすることも可能である。即ち、マット状の育成材部を積層して設ける構成において、第一の育成材部の上に、第一の育成材部よりも平面視で小型の第二の育成材部を複数載置し、第二の育成材部を相互に隙間が形成されるように配置する構成としてもよい。前記構成により、凹状部など植栽マットと育成材部との間の空間を少なくすることができ、より良好な植栽が可能となる。
【００４３】
また、図１０に示すように植物Ｐの種類によって、育成材部２０を積層して高さを高くする構成であっても良く、お客様の要望にあった緑化エリアを提供することが可能となると共に、施工場所の環境に合わせて、適宜選択することも可能となる。図１０は、実施例１の緑化設備１００を利用しており、育成材部２０を重ね合わせできるという特徴があることから、容易に対応することが可能となる。尚、他の実施例に応用しても良いことは言うまでもない。
【００４４】
また、育成材部の形状、構造はどのようなものであっても良く、同様に凹状部及び突出部の形状、個数、配置位置なども適宜である。
【００４５】
また、基盤材も貯水又は保水可能なものであればどのようなものであっても良く、側面を有しない構成であってもよく、又凹凸を連続して設け、凹部に貯水又は保水可能な構成であっても良い。
【００４６】
また、基盤材に対して育成材部が１対１の関係について説明したが、本発明は１対複数、或いは複数対１など、どのような関係であっても良い。
【００４７】
また、実施例２及び実施例３は主として折板屋根を想定した緑化設備であるが、陸屋根等に設置してもよく、又、固定構造として接着或いは両面テープを示したが、本発明は既存のハゼ掴みを使用して固定するなど適宜である。
【００４８】
また、上記実施例では基盤材を平面視正方形に形成しているが、本発明は長方形、三角形などの多角形、円形、楕円形など適宜である。
【００４９】
また、隣り合う基盤材相互を連結する構成を付加しても良く、耐風圧強度が増すこととなる。更に、基盤材は間隔をあけて設置しても良い。
【００５０】
また、基盤材内に育成材を収納して、その上にデッキ材などを設ける構成であってもよく、より美観に優れた緑化エリアを形成することが可能となる。
【産業上の利用可能性】
【００５１】
本発明は、例えば折板屋根、屋上、ベランダ等の緑化に利用することができる。
【符号の説明】
【００５２】
Ｒ…折板屋根
１…山部、２…谷部、３…ハゼ部、５…固定手段
１０…基盤材、１０ａ…底面、１０ｂ…側面
１１…柱状部材、１１ａ…頂面、１１ｂ…側面
２０…育成材部、２０ａ…上面、２０ｂ…下面、２０ｃ…側面、２１…凹状部、２２…突出部
３０…植栽マット
５０…基盤材、５０ａ…底面、５０ｂ…側面、５１…リブ、５１ａ…傾斜面、５１ｂ…頂面、５２…排水孔、５３…長突出片、５４…短突出片、５５…凹部
６０…育成材部、６０ａ…上面、６０ｂ…下面、６０ｃ…側面、６１…突出部、６２…凹状部、６３…凹溝
７０…潅水パイプ
８０…基盤材、８０ａ…底面、８０ｂ…側面、８０ｃ…凹部、８１…第１リブ、８２…第２リブ、８３…遮水性部材
９０…育成材部、９０ａ…上面、９０ｂ…下面、９１…凹状部、９２…突出部
１００…緑化設備、１００ａ…緑化設備、１００ｂ…緑化設備、１０１…植栽部
Ｐ…植物、Ｔ…貯水箇所、Ｗ…水面
【図１】
2012065647.tif 000003
【図２】
2012065647.tif 000004
【図３】
2012065647.tif 000005
【図４】
2012065647.tif 000006
【図５】
2012065647.tif 000007
【図６】
2012065647.tif 000008
【図７】
2012065647.tif 000009
【図８】
2012065647.tif 000010
【図９】
2012065647.tif 000011
【図１０】
2012065647.tif 000012
【手続補正書】
【提出日】平成23年8月22日(2011.8.22)
【手続補正１】
【補正対象書類名】図面
【補正対象項目名】図８
【補正方法】変更
【補正の内容】
【図８】
2012065647.tif 000013
【手続補正２】
【補正対象書類名】図面
【補正対象項目名】図９
【補正方法】変更
【補正の内容】
【図９】
2012065647.tif 000014